【手続補正書】
【提出日】平成25年8月19日(2013.8.19)
【手続補正１】
【補正対象書類名】特許請求の範囲
【補正対象項目名】全文
【補正方法】変更
【補正の内容】
【特許請求の範囲】
【請求項１】
内部に設置された熱交換器を伴う流体加熱および貯蔵タンクであって、
一次流体のための貯蔵容器であって、前記貯蔵容器は、前記一次流体のための入口部および出口部と、第１の入口継手および第１の出口継手と、二次流体のための第２の入口継手および第２の出口継手と、呼吸継手と、を有する貯蔵容器と、
前記流体加熱および貯蔵タンクの中に配設され、前記一次流体から分離して前記二次流体に前記流体加熱および貯蔵タンクを通過させるための熱交換器であって、第１の入口および第１の出口と、前記二次流体のための第２の入口および第２の出口と、少なくとも１つの呼吸ポートと、を有する熱交換器と、を有し、
前記入口、出口および呼吸ポートの各々は、前記流体加熱および貯蔵タンクの各対応する継手に接続され、
前記２つの二次流体入口継手は、２つの前記出口継手よりも下方には配置されず、
前記呼吸継手は、前記入口継手よりも下方には配置されない、ことを特徴とする流体加熱および貯蔵タンク。
【請求項２】
加熱された流体を自動的に循環させて外部のポンプ動力なしに熱を移動する熱駆動液体自己循環システムであって、
熱収集入口および熱収集出口を有し、前記熱収集出口は前記熱収集入口よりも下方には配置されない熱収集器と、
内部に設置された熱交換器を備える流体加熱および貯蔵タンクと、を有し、
前記流体加熱および貯蔵タンクは、
一次流体のための入口および出口と、第１の入口継手および第１の出口継手と、二次流体のための第２の入口継手および第２の出口継手と、呼吸継手とを有する、一次流体のための貯蔵容器と、
前記流体加熱および貯蔵タンク内に設置され、前記一次流体から分離して前記二次流体に前記流体加熱および貯蔵タンクを通過させるための熱交換器と、を有し、
前記熱交換器は、第１の入口および第１の出口と、前記二次流体のための第２の入口および第２の出口と、少なくとも１つの呼吸ポートと、を有し、前記入口、出口および呼吸ポートの各々は、前記流体加熱および貯蔵タンクの各対応する継手に接続され、前記２つの二次流体入口継手は、２つの前記出口継手よりも下方にはそれぞれ設置されず、前記呼吸継手は、前記入口継手より下方には配置されず、
前記システムは、
前記二次流体蒸気を凝縮して再生するための、大気に接続された前記熱交換器のための前記呼吸継手に接続された装置と、
前記熱収集出口に接続する第１の端部と、前記流体加熱および貯蔵タンクの前記二次流体入口に接続する第２の端部と、を有する第１の接続管と、を含み、
前記第２の端部は、前記第１の端部よりも下方にはない、ことを特徴とする熱駆動液体自己循環システム。
【請求項３】
内部に設置された熱交換器を伴う流体加熱および貯蔵タンクを有し、
前記タンクは、
一次流体のための貯蔵容器を有し、
前記貯蔵容器は、
一次流体のための入口および出口と、第１の入口継手および第１の出口継手と、二次流体のための第２の入口継手および第２の出口継手と、呼吸継手と、を有し、
前記タンクは、
前記流体加熱および貯蔵タンクの中に配設され、前記一次流体から分離して前記二次流体に前記流体加熱および貯蔵タンクを通過させるための熱交換器であって、第１の入口および第１の出口と、前記二次流体のための第２の入口および第２の出口と、少なくとも１つの呼吸ポートと、を有する熱交換器を含み、
前記入口、出口および呼吸ポートの各々は、前記流体加熱および貯蔵タンクの各対応する継手に接続され、
前記２つの二次流体入口継手は、２つの前記出口継手よりも下方にはそれぞれ設置されず、
前記呼吸継手は、前記入口継手より下方には配置されない、ことを特徴とする熱収集および貯蔵システム。
【請求項４】
分離可能な空間を有する前記熱交換器は、前記分離可能な空間を第１のサブスペースと第２のサブスペースに分離する内部液体分離ツールを含み、
前記第１の入口および第１の出口は、前記第１のサブスペースと接続され、
前記第２の入口および第２の出口は、前記第２のサブスペースと接続され、
前記熱交換器は、少なくとも一の呼吸ポートを有する、ことを特徴とする請求項１に記載の流体加熱および貯蔵タンク。
【請求項５】
請求項２に記載の熱駆動液体自己循環システムであって、前記二次流体蒸気を凝縮して再生するための装置は、
呼吸継手、
前記呼吸通路に接続された管、
前記容器の前記呼吸継手に設置された下端部および取り外し可能なカップを備える反対側の上端部を有する管、
前記容器の上部液体レベルで前記内部空間と大気とを接続するための、前記管の側壁上のホール、
液体蒸気の凝縮および凝縮液の還流のために前記呼吸管に設置された一組の金属蒸気凝縮片、
気密な前記容器の呼吸継手に設置された第１の端部と、前記第１の端部および液面レベルよりも高い第２の端部とを有する屈曲したパイプ、
気密な前記容器から漏出した加熱液体および蒸気を収容するための凝縮化気密容器であって、前記液体上記を凝縮するための内部ツールと大気に対して開放する上部ポートとを有する凝縮化気密容器、
上方に向けて前記気密な容器の中へ延在するとともに前記凝縮化気密容器の壁に設けられた上端部と、前記気密容器において前記呼吸継手に接続された反対端部と、を有する呼吸パイプ、
前記気密な容器からの加熱液体蒸気を収容するための凝縮化気密容器、
上方に向けて前記気密な容器の中へ延在するとともに前記気密容器の底部に設けられた一端部と、前記気密容器の前記呼吸継手に接続された呼吸パイプの反対側端部と、を有する呼吸パイプ、
上方に向けて前記気密な容器の中へ延在するとともに前記凝縮化気密容器内に配置され、前記凝縮化気密容器の内部上端側よりも下方にある一端部と、漏出した蒸気を凝縮して再生のための凝縮化された液体を一時的に格納するために前記凝縮化気密容器の外部に配置された反対端部とを有する屈曲した呼吸および凝縮化パイプ、
および、
上記した装置の混成の組み合わせ、
から構成される群から選択されるシステム。
【請求項６】
一又は複数の放出弁、ドレン弁、保護アノード、および、一又は複数の電気ヒータをさらに有することを特徴とする請求項１に記載の流体加熱および貯蔵タンク。
【請求項７】
前記第１の入口、第１の出口、第２の入口、第２の出口および前記呼吸継手を選択的にキャップするためのバックアップボルトキャップをさらに備える、ことを特徴とする請求項１に記載の流体加熱および貯蔵タンク。
【請求項８】
前記熱交換器は、チューブ熱交換器、プレート熱交換器、コイル熱交換器、フィンチューブ熱交換器、螺旋熱交換器、連結されたチューブの２つの結合ポイントで２つの可動ストッパーにより２つの分離可能なサブ空間に分離された熱交換器、および、プレート熱交換器、上述した２又は３以上の熱交換器の混成の組み合わせからなるグループから選択され、
前記熱交換器内の液体分離構造は前記二次流体空間を２つのサブ空間へ分離する前記熱交換器の前記チャンバー内に設置され、前記入口および出口のペアは、前記２つの空間の前記壁にそれぞれ設けられ、
少なくとも一の前記サブ空間は呼吸継手を当該空間の上壁に有することを特徴とする請求項２に記載の熱駆動液体自己循環システム。
【請求項９】
前記熱収集入口に接続される一端と前記流体加熱および貯蔵タンクの前記第１の出口に接続される他端とを有する第２の導管をさらに有することを特徴とする請求項２に記載の熱駆動液体自己循環システム。
【請求項１０】
第１のヒータ入口および第１のヒータ出口を有する第１の熱収集器と、
第２のヒータ入口および第２のヒータ出口を有する第２の熱収集器と、
前記第１のヒータ出口に接続された一端と前記流体加熱および貯蔵タンクの第１の入口継手に接続された他端とを有する第１の導管であって、前記第１のヒータ出口より下には配置されない第１の導管と、
前記第１のヒータ入口に接続された一端と前記流体加熱および貯蔵タンクの第１の出口に接続された他端とを有する第２の導管と、
前記第２のヒータ出口に接続された一端と前記流体加熱および貯蔵タンクの第２の入口に接続された他端とを有する第３の導管であって、前記第２の入口は前記第２ヒータ出口より下には配置されない第３の導管と、
前記第２のヒータ入口に接続された一端と前記流体加熱および貯蔵タンクの第２の出口に接続された他端とを有する第４の導管と、を有することを特徴とする請求項２に記載の熱駆動液体自己循環システム。
【請求項１１】
前記流体加熱および貯蔵タンクの前記出口および入口にそれぞれ接続された加熱装置入口および加熱装置出口を有する加熱装置と、
前記ヒータ入口に接続された一端と前記流体加熱および貯蔵タンクの第１の出口に接続された他端とを有する第２の導管と、
前記加熱装置入口に接続された一端と前記流体加熱および貯蔵タンクの第２の出口に接続された他端とを有する第３の導管と、
前記加熱装置出口に接続された一端と前記流体加熱および貯蔵タンクの第２の入口に接続された他端とを有する第４の導管と、を有することを特徴とする請求項２に記載の熱駆動液体自己循環システム。
【請求項１２】
前記熱収集器は、太陽光熱収集器と、および、化石燃料、バイオマス、天然ガス、地球、空気、原子力および電気からなるグループから選択的に選択されたエネルギーを使用するヒータと、からなるグループから選択され、
ヒータは、下部入口および熱インシュレータに配置された上部出口を有する二次流体のための気密容器と、前記熱インシュレータの下部で内部の部分に配置された前記気密容器内で二次液体を加熱するためのエネルギー加熱源とを有し、
前記気密容器は、熱導電性材料で形成されていることを特徴とする請求項２に記載の熱駆動液体自己循環システム。
【請求項１３】
前記熱収集器は、前記二次流体を汲み上げるためのパワーポンプをさらに有し、
前記二次流体のための容器は、前記熱収集器に接続された空間を有し、
前記呼吸継手は、キャップにより閉じられることを特徴とする請求項２に記載の熱駆動液体自己循環システム。
【請求項１４】
太陽光熱収集器を有し、前記太陽光熱収集器は様々な建築要素として使用される加熱モジュールユニットを形成することを特徴とする請求項３に記載の熱収集および貯蔵システム。
【請求項１５】
前記加熱装置は、加熱空気を生成する加熱ラジエターを有することを特徴とする請求項１２に記載の熱駆動液体自己循環システム。